(57)【特許請求の範囲】
【請求項１】
し渣を投入するホッパと、先端部に縮径部を有し、該縮径部の手前にて上記ホッパに連通する円筒状の圧縮室と、該圧縮室内に該圧縮室の中心軸方向に延設され、回転軸及び該回転軸の周面に形成された螺旋翼を有するスクリューとを備え、該スクリューの回転により、上記ホッパから投入されるし渣を上記縮径部に搬送し、該縮径部で圧縮／脱水して、該縮径部の先端の開口から排出するよう構成したし渣脱水機の脱水構造において、
上記縮径部の先端の開口を開閉するよう自由に回動可能な面板と、該面板の開放側への最大回動角度を規制しかつ該最大回動角度を調整することが可能なように構成された角度調整手段と、を備えたことを特徴とするし渣脱水機の脱水構造。
【請求項２】
上記角度調整手段として、回すことにより、先端が、開放側へ回動する上記面板に干渉するようにして、進退するボルトを備えたことを特徴とする請求項１記載のし渣脱水機の脱水構造。
【発明の詳細な説明】
【０００１】
【発明の属する技術分野】
本発明は、し渣脱水機に関し、特にその脱水構造に関する。
【０００２】
【従来の技術】
図３は、従来の汚水処理の前処理工程における微細目スクリーン用のし渣脱水機の構成を説明する図であって、(a)は第１の従来例を示す縦断面図、(b)は第２の従来例を模式的に示す縦断面図である。
【０００３】
図３(a)において、し渣脱水機101は、し渣を投入するホッパ104と、先端部に縮径部（以下、脱水部という）112を有し、該脱水部112の手前にてホッパ104に連通する円筒状の圧縮室103と、該圧縮室103内に該圧縮室103の中心軸方向に延設され、回転軸105a及び該回転軸105aの周面に形成された螺旋翼105bを有するスクリュー105とを備えている。このし渣脱水機101では、スクリュー105を回転させて、ホッパ104から投入されるし渣を脱水部112に搬送する。すると、その搬送されたし渣は、脱水部112で圧縮されて脱水され、脱水部112の先端の排出口113から排出される。
【０００４】
図３(b)のし渣脱水機は、特開平7-216849号公報及び特開平8-13451号公報に開示されたものである。図３(b)において、このし渣脱水機201は、脱水部112の前方に脱水ヘッド202を設け、該脱水ヘッド202を、脱水部112の先端に接続され上方が開放された樋部203と、該樋部203の上面を覆いかつ後ろ側を支点に上下方向に回動可能に配設された押さえ板204と、該押さえ板204を下方に付勢する圧縮バネ205と、該圧縮バネ205の付勢力を調整する調整ネジ206とで構成している。このし渣脱水機201では、スクリュー105の回転により脱水部112の先端の開口113から送出されたし渣は、さらに押さえ板204によって抵抗を与えられ、その抵抗に応じて圧縮／脱水された後、脱水ヘッド202の先端207から排出される。
【０００５】
【発明が解決しようとする課題】
ところで、し渣は、一般的に、野菜屑、糞塊、髪毛が混じったものであり、粘性、髪毛の量などその性状に違いがある。この性状の異なるし渣を、同等に脱水するには、し渣脱水機において、脱水しようとするし渣に与える抵抗を、そのし渣の性状に応じて変えてやる必要がある。また、ここでいう抵抗とは流体力学における流体抵抗と同様の概念であって、し渣の移動し難さを表す概念である。従って、この抵抗は、し渣の移動経路の形状、摩擦係数等の物理的状態により定まり、この抵抗によって、移動するし渣に圧縮力が生じる。
【０００６】
しかしながら、図３(a)のし渣脱水機101では、脱水しようとするし渣に対する抵抗は脱水部112の軸方向に傾斜した壁面によって与えられ、その抵抗は一定である。そのため、し渣の脱水性にばらつきを生じる。
【０００７】
また、図３(b)のし渣脱水機201では、調整ネジ206を調整することにより、脱水しようとするし渣に与える抵抗を変化させることができるが、その抵抗が圧縮バネ205で付勢された押さえ板204によって与えられるため、し渣の性状の不均一などによって押さえ板が移動して、その調整した抵抗が変動する。そのため、し渣の脱水性が変動する。また、その調整した状態で長期間運転する場合には、圧縮バネ205のバネ力の低下により抵抗が低下し、し渣の脱水性が悪化する。
【０００８】
本発明は、上記のような課題を解決するためになされたもので、性状の異なるし渣に対し、良好な脱水性を得ることが可能なし渣脱水機の脱水構造を提供することを目的としている。
【０００９】
【課題を解決するための手段】
本発明に係るし渣脱水構造は、し渣を投入するホッパと、先端部に縮径部を有し、該縮径部の手前にて上記ホッパに連通する円筒状の圧縮室と、該圧縮室内に該圧縮室の中心軸方向に延設され、回転軸及び該回転軸の周面に形成された螺旋翼を有するスクリューとを備え、該スクリューの回転により、上記ホッパから投入されるし渣を上記縮径部に搬送し、該縮径部で圧縮／脱水して、該縮径部の先端の開口から排出するよう構成したし渣脱水機の脱水構造において、
上記縮径部の先端の開口を開閉するよう自由に回動可能な面板と、該面板の開放側への最大回動角度を規制しかつ該最大回動角度を調整することが可能なように構成された角度調整手段と、を備えている（請求項１）。かかる構成とすると、ホッパから投入されるし渣の性状に応じて、し渣に与える抵抗を調整することができる。また、その調整後の抵抗が変動しない。
【００１０】
また、かかる構成とすると、し渣排出時に、面板が、その先端側ほど縮径部の先端の開口との間隔が広くなるよう開く。従って、該開口から排出されようとするし渣に対し、面板によって抵抗を与えることができる一方、該開口から排出されるし渣は、該開口と面板とにより形成される先広がりの経路を通って放出されるため、し渣が糞詰まりするおそれがない。また、抵抗体に面板を用いるため、構成が簡素化される。
【００１１】
さらに、この場合、上記角度調整手段として、回すことにより、先端が、開放側へ回動する上記面板に干渉するようにして、進退するボルトを備えるようにしてもよい（請求項２）。かかる構成とすると、構成を簡素化することができる。
【００１２】
【発明の実施の形態】
以下、図面を参照しながら本発明の実施の形態を説明する。
【００１３】
図１は本発明の実施の形態に係るし渣脱水機の脱水構造を示す縦断面図、図２は脱水調整ボルトを圧縮コーンカバーとともに示した正面図である。
【００１４】
図１、図２において、し渣脱水機１は、本体ケーシング２を有している。本体ケーシング２は、略水平方向に延びる円筒形状のスクリュー収容部２aと、該スクリュー収容部２aの周面の上側部分に配設されたホッパ４とを有している。本体ケーシング２のスクリュー収容部２aの先端には、互いのフランジ部２b,６aにより圧縮コーン６が接続されている。圧縮コーン６は、基端がスクリュー収容部２aの先端に合わさり、かつ基端から先端に向け直線的に縮径するような形状に形成されている。このスクリュー収容部２a及び圧縮コーン６の内部空間が圧縮室３を形成し、圧縮コーン６の内部空間が縮径部（以下脱水部という）７を構成している。この圧縮室３内に、回転軸５a及び該回転軸５aの周面に形成された螺旋翼５bを有するスクリュー５が、該圧縮室３の中心軸方向に延びるように配置されている。スクリュー５は、基端部が軸支されるとともに、図示されない駆動モータに接続されている。圧縮コーン６は圧縮コーンカバー８で覆われている。圧縮コーンカバー８は、後面及び下面が開放され、前面部８aの中央部に、その下端から上方に延びるように切欠部８bが形成されており、該切欠部８bに圧縮コーン６の先端の開口（以下排出口という）13が位置し、前面部８aの該切欠部８bの周縁部分が圧縮コーン６の先端のフランジ６bに当接するようにして配設されている。
【００１５】
そして、圧縮コーンカバー８の前面部８aの切欠部８bの上縁部分に、蝶番12が、水平方向に回動軸を有するようにして配設され、この蝶番12に、圧縮コーン６の排出口13を覆うに十分な大きさ（面積）を有する面板11が取付られている。これにより、面板11は、圧縮コーン６の排出口13を開閉するよう上下方向に回動自在となっており、排出口13からし渣が排出されていない状態では、下方に垂下し、排出口13を閉じている。さらに、圧縮コーンカバー８の上面の前端部中央に、取付板９が、前方に突出するように配設され、該取付板９に厚み方向に貫通するよう穿設されたネジ孔15に脱水調整ボルト10が螺合されている。脱水調整ボルト10には、これをロックするためのナット14が螺合されている。これにより、脱水調整ボルト10の下端が、面板11の前方位置にて該面板11の上方向（開放側）への最大回動角度を規制する。従って、脱水調整ボルト10を左右に回すと、その下端が上下方向に進退し、それにより、面板11の開放側への最大回動角度が調整される。
【００１６】
次ぎに、以上のように構成されたし渣脱水機１の動作を説明する。まず、粘性、髪毛の量などのし渣の性状を把握し、その把握した性状に応じて、面板11によってし渣に与えるべき抵抗を設定する。そして、面板11の開放側への最大回動角度が、その設定された抵抗をし渣に与えるようなものとなるよう、脱水調整ボルト10を回してその下端の位置を調整する。この際、ナット14で調整した脱水調整ボルト10をロックする。
【００１７】
次いで、スクリュー５を回転させて、ホッパ４からし渣を投入する。すると、投入されたし渣は、回転するスクリュー５の螺旋翼５bによって脱水部６に搬送され、そこで、その軸方向に傾斜する壁面によって抵抗を与えられ、それにより、圧縮されて脱水される。この脱水された水は、脱水部７の底面を流れて図示されないドレインパンに排出される。その後、該圧縮／脱水されたし渣は、排出口13から外部に排出される。すると、面板11がこの排出されるし渣に押され、二点鎖線で示すように、脱水調整ボルト10の下端に当接する位置まで、上方に回動する。この回動した面板11により、排出口13から排出されてくるし渣に対し上記設定された抵抗が与えられる。すると、この抵抗により生じた圧力が、脱水部７内のし渣に伝わり、該脱水部７内においてこの圧力が加わった状態、換言すれば上記抵抗が加味された状態、でし渣の圧縮／脱水が行われる。これにより、排出口13、及び面板11を経て排出されるし渣の脱水性が適切なものとなる。また、この際、面板11は、その先端側ほど排出口13との間隔が広くなるよう開くので、排出口13から排出されるし渣は、該排出口13と面板11とにより形成される先広がりの経路を通って放出されるため、し渣が糞詰まりするおそれはない。
【００１８】
このように、本実施の形態に係るし渣脱水機の脱水構造によれば、し渣の性状が異なっていても、し渣の性状に応じて、脱水調整ボルト10を調整して、し渣に与える抵抗を変えることにより、良好な脱水性を得ることができる。また、この調整後の抵抗は、変化しないので、安定した脱水性を得ることができる。さらに、抵抗調整手段として、排出口13を開閉するよう回動可能な面板11と、その面板11の開放側への最大回動角度を調整する脱水調整ボルト10を用いたので、し渣が糞詰まりするおそれがなく、かつ構成が簡素なものとなっている。
【００１９】
なお、上記の説明では、抵抗調整手段として、脱水部７の排出口13を開閉するよう回動可能な面板11を用いたが、排出口13から排出されるし渣に抵抗を与えるとともにその抵抗を、調整後変動しないようにして調整可能なものであれば、他のものでもよい。
【００２０】
また、上記の説明では、面板11を上下方向に回動可能としたが、他の方向に回動可能としてもよい。
【００２１】
また、上記の説明では、脱水調整ボルト10を上下方向に進退可能としたが、先端が開放側へ回動する面板11に干渉するようにして進退可能であれば、他の方向であってもよい。
【００２２】
【発明の効果】
本発明は、以上のような形態で実施され、以下のような効果を奏する。
(1)ホッパから投入されるし渣の性状に応じて、し渣に与える抵抗を調整することができるため、性状の異なるし渣に対しても、良好な脱水性を得ることができる。また、調整後の抵抗が変動しないので、安定した脱水性を得ることができる。
(2)抵抗調整手段として、縮径部の先端の開口を開閉するよう回動可能な面板と、該面板の開放側への最大回動角度を調整する角度調整手段とを備えるようにすると、し渣が糞詰まりするおそれがなく、また、構成を簡素化することができる。
(3)角度調整手段として、回すことにより、先端が開放側へ回動する面板に干渉するようにして進退するボルトを備えるようにすると、構成を簡素化することができる。
【図面の簡単な説明】
【図１】本発明の実施の形態に係るし渣脱水機の脱水構造を示す縦断面図である。
【図２】脱水調整ボルトを圧縮コーンカバーとともに示した正面図である。
【図３】従来のし渣脱水機の構成を説明する図であって、(a)は第１の従来例を示す縦断面図、(b)は第２の従来例を模式的に示す縦断面図である。
【符号の説明】
１  し渣脱水機
２  本体ケーシング
２a スクリュー収容部
２b フランジ
３  圧縮室
４  ホッパ
５  スクリュー
５a 回転軸
５b 螺旋翼
６  圧縮コーン
６a,６b フランジ
７  脱水部
８  圧縮コーンカバー
８a 前面部
８b 切欠部
９  取付板
10  脱水調整ボルト
11  面板
12  蝶番
13  排出口
14  ナット
15  ネジ孔
101,201 し渣脱水機
103 圧縮室
104 ホッパ
105 スクリュー
105a  回転軸
105b  螺旋翼
112 脱水部
113 排出口
202 脱水ヘッド
203 樋部
204 押さえ板
205 バネ
206 調整ネジ
207 排出口
【図１】
0003967038.tif 000002
【図２】
0003967038.tif 000003
【図３】
0003967038.tif 000004